【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
１つ又はそれよりも多くの血管内ステントの展開を計画する方法であって、
診断システムの１つ又はそれよりも多くのプロセッサが、ステント展開のための候補血管に関して収集される血管データを前記診断システムの１つ又はそれよりも多くの電子メモリデバイス内に格納するステップと、
前記１つ又はそれよりも多くのプロセッサが、血管データ収集システムのサブシステムを使用して、前記血管データから管腔距離ベースの値のセットを計算するステップであって、前記サブシステムは、前記電子メモリデバイスと電子的に計算する、ステップと、
前記１つ又はそれよりも多くのプロセッサが、前記管腔距離ベースの値のセットから局所最大のセットを特定するステップであって、前記局所最大は、潜在的なステントランディングゾーンと相関させられる、ステップと、
前記１つ又はそれよりも多くのプロセッサが、局所最大に対応する前記血管データ内の１つ又はそれよりも多くのフレームを決定するステップと、
前記１つ又はそれよりも多くのプロセッサが、サーチ窓の境界に配置されるフレームのペアの全ての組み合わせを特定することによって候補ステントランディングゾーンのセットを決定するステップであって、サーチ窓の大きさは、１つ又はそれよりも多くのステントの長さである、ステップと、
前記１つ又はそれよりも多くのプロセッサが、候補ランディングゾーンの各ペアについて、候補ランディングゾーンの各ペアでの所与の距離及び長さの仮想ステントの配置に由来するステント有効性スコア（ＳＥＳ）を生成するステップと、
前記１つ又はそれよりも多くのプロセッサが、該ステント有効性スコアを順序付けるステップと、
前記１つ又はそれよりも多くのプロセッサが、前記ステント有効性スコアのランク付けされた順序に基づいて決定されるランディングゾーンによって定義される１つ又はそれよりも多くの仮想ステントを特定するステップとを含む、
方法。
【請求項２】
前記１つ又はそれよりも多くのプロセッサが、前記血管のセグメントの表現に対する前記１つ又はそれよりも多くの仮想ステントを表示のために提供するステップを更に含む、請求項１に記載の方法。
【請求項３】
前記管腔距離ベースの値は、管腔面積、管腔半径、管腔直径、管腔弦、及び管腔の境界上の点から測定される距離で構成される群から選択される、請求項１に記載の方法。
【請求項４】
前記管腔距離ベースの値のセットは、管腔面積曲線である、請求項１に記載の方法。
【請求項５】
前記管腔距離ベースの値のセットは、前記血管の断面に対応する管腔面積値のセットである、請求項１に記載の方法。
【請求項６】
前記１つ又はそれよりも多くのプロセッサが、ステント長を有するステントの表現を生成するステップと、第１のランディングゾーン及び第２のランディングゾーンに配置される前記ステントの前記表現を表示のために提供するステップとを更に含み、前記第１及び第２のランディングゾーンは、前記ステント有効性スコアに対応する、請求項１に記載の方法。
【請求項７】
前記ステント有効性スコアを生成するステップは、
前記１つ又はそれよりも多くのプロセッサが、前記ステントを配置することに先立ち前記血管についての第１の仮想血流予備能比（ＶＦＲ）を計算するステップと、
前記１つ又はそれよりも多くのプロセッサが、前記ステントを配置することに続いて前記血管についての第２のＶＦＲを計算するステップと、
前記１つ又はそれよりも多くのプロセッサが、前記第２のＶＦＲから前記第１のＶＦＲを減算して、ステント配置に応答するＶＦＲの変化を取得するステップと、
前記１つ又はそれよりも多くのプロセッサが、前記ステントの長さによってＶＦＲの変化を分割するステップとを含む、
請求項１に記載の方法。
【請求項８】
前記１つ又はそれよりも多くのプロセッサが、１つ又はそれよりも多くの重み係数で前記ステント有効性スコアを調整するステップを更に含む、請求項１に記載の方法。
【請求項９】
前記１つ又はそれよりも多くの重み係数は、ランディングゾーンの質、前記ステントによって覆われる全ての枝の管腔総面積、血管の先細りの量、医師の好みに基づくステント限界、及び動脈の種類に基づく制約のうちの１つ又はそれよりも多くを含む、請求項８に記載の方法。
【請求項１０】
前記１つ又はそれよりも多くのプロセッサが、エンドユーザ設定の標的ＶＦＲ以上の予測ＶＦＲで前記ステント有効性スコアを選択するステップを更に含む、請求項１に記載の方法。
【請求項１１】
前記１つ又はそれよりも多くのプロセッサが、ステントパラメータの好みに関するエンドユーザからの入力を受け取るステップを更に含む、請求項１に記載の方法。
【請求項１２】
前記１つ又はそれよりも多くのプロセッサが、前記血管の表現に対する配置のためにユーザ選択されるステントに応答して予測ＶＦＲを生成するステップを更に含む、請求項１に記載の方法。
【請求項１３】
前記１つ又はそれよりも多くのプロセッサが、血管造影又は血管内撮像を使用して前記血管データを生成するステップを更に含む、請求項１に記載の方法。
【請求項１４】
自動化されたステント計画のためのシステムであって、
関心を有する血管からデータを取得する診断システムを含み、
該診断システムは、
１つ又はそれよりも多くの電子メモリデバイスと、
該１つ又はそれよりも多くの電子メモリデバイスと通信する１つ又はそれよりも多くのプロセッサとを含み、
前記１つ又はそれよりも多くの電子メモリデバイスは、前記１つ又はそれよりも多くのプロセッサによって実行可能な指令を含み、該指令は、前記１つ又はそれよりも多くのプロセッサに、
前記プロセッサを使用して、前記血管を通じて引き戻される血管内プローブを使用して生成される血管内データから管腔距離ベースの値のセットを計算させ、前記サブシステムは、前記電子メモリデバイスと電子的に計算し、
前記管腔距離ベースのセットから局所最大のセットを特定させ、１つ又はそれよりも多くの局所最大が、潜在的なステントランディングゾーンと相関させられ、
前記局所最大のうちの１つ又はそれよりも多くの局所最大に対応する前記血管内データ内の１つ又はそれよりも多くのフレームを決定させ、且つ
サーチ窓の境界に配置される１つ又はそれよりも多くのフレームを特定することによって候補ステントランディングゾーンのセットを決定させ、前記サーチ窓の大きさは、１つ又はそれよりも多くのステントの長さである、
システム。
【請求項１５】
前記管腔距離ベースの値は、管腔面積、管腔半径、管腔直径、管腔弦、及び管腔の境界上の点から測定される距離で構成される群から選択される、請求項１４に記載のシステム。
【請求項１６】
前記１つ又はそれよりも多くのプロセッサによって実行可能な指令を更に含み、該指令は、前記１つ又はそれよりも多くのプロセッサに、
候補ランディングゾーンの各ペアについて、候補ランディングゾーンの各ペアでの所与の距離及び長さの仮想ステントの配置に由来するステント有効性スコア（ＳＥＳ）を生成させ、
該ステント有効性スコアをランク付けさせ、
前記ステント有効性スコアのランキングに基づいて決定されるランディングゾーンによって定められる１つ又はそれよりも多くの仮想ステントを特定させ、
該１つ又はそれよりも多くの仮想ステントは、前記血管のセグメントの表現に対して表示される、
請求項１４に記載のシステム。
【請求項１７】
前記１つ又はそれよりも多くのプロセッサによって実行可能な指令を更に含み、該指令は、前記１つ又はそれよりも多くのプロセッサに、ステント長を有するステントの表現を生成させ、第１のランディングゾーン及び第２のランディングゾーンに配置される前記ステントの前記表現を表示のために提供させ、前記第１及び第２のランディングゾーンは、前記ステント有効性スコアに対応する、請求項１４に記載のシステム。
【請求項１８】
前記１つ又はそれよりも多くのプロセッサによって実行可能な指令を更に含み、該指令は、前記１つ又はそれよりも多くのプロセッサに、１つ又はそれよりも多くの重み係数で前記ステント有効性スコアを調節させる、請求項１４に記載のシステム。
【請求項１９】
前記１つ又はそれよりも多くの重み係数は、ランディングゾーンの質、前記ステントによって覆われる全ての枝の管腔総面積、血管の先細りの量、医者の好みに基づくステント限界、及び動脈の種類に基づく制約のうちの１つ又はそれよりも多くを含む、請求項１８に記載のシステム。
【請求項２０】
前記１つ又はそれよりも多くのプロセッサによって実行可能な指令を更に含み、該指令は、前記１つ又はそれよりも多くのプロセッサに、ステント表現を使用して血管の表現をモーフィングさせて、前記ステント有効性スコアを決定するのに適した血管内パラメータの変化を計算させる、請求項１４に記載のシステム。
【請求項２１】
１つ又はそれよりも多くの血管内ステントの展開を計画する方法であって、
診断システムの１つ又はそれよりも多くのプロセッサが、血管を通じて引き戻される血管内プローブを使用して生成される前記血管の血管データを前記診断システムの１つ又はそれよりも多くの電子メモリデバイス内に格納するステップと、
前記１つ又はそれよりも多くのプロセッサが、血管データ内で候補ステントランディングゾーンを特定するステップと、
前記１つ又はそれよりも多くのプロセッサが、可能なランディングゾーンペアのセットを決定するステップと、
前記１つ又はそれよりも多くのプロセッサが、１つ又はそれよりも多くの血管系システムパラメータに対する変更に基づいて仮想ステントランディングゾーンをスコア付けするステップであって、前記変更は、血管のステント留置された状態とステント留置されていない状態との間にある、ステップと、
前記１つ又はそれよりも多くのプロセッサが、スコア及び関連するランディングゾーンをランク付けし且つ選択するステップと、
前記１つ又はそれよりも多くのプロセッサが、選択されるスコアを有する仮想ステントについてのランディングゾーンを表示するステップとを含む、
方法。